(57)【要約】【課題】単独で２種類の回転特性が得られるようにしたコマ玩具【解決手段】発射装置によって回転駆動可能であるとともに、以下の要件を備えたことを特徴とする。（イ）玩具本体１の内部にはジャイロホイール３が回転自在に設けられ、ジャイロホイール３の中心には回転軸７が形成されていること（ロ）玩具本体１には、上記ジャイロホイール３に係脱可能な係合手段が設けられていること（ハ）上記玩具本体１には、前記ジャイロホイール３の回転軸７と同軸上に設けられた歯車１０と噛合するラックベルト１５を横から挿通する貫通口１６が形成されていること【選択図】　　　　図２
0003097704.tif 000002
【実用新案登録請求の範囲】
【請求項１】
発射装置によって回転駆動可能であるとともに、以下の要件を備えたことを特徴とするコマ玩具。
（イ）玩具本体の内部にはジャイロホイールが回転自在に設けられ、ジャイロホイールの中心には回転軸が形成されていること
（ロ）玩具本体には、上記ジャイロホイールに係脱可能な係合手段が設けられていること
（ハ）上記玩具本体には、前記ジャイロホイールの回転軸と同軸上に設けられた歯車と噛合するラックベルトを横から挿通する貫通口が形成されていること
【請求項２】
前記玩具本体は、複数の部材を層状に組みたてて成り、各部材は各層の部材を交換可能に構成されていること
【考案の詳細な説明】
【０００１】
【考案の属する技術分野】
本考案は１本の回転軸で２種類の回転特性が得られるコマ玩具に関する。
【０００２】
【従来技術とその問題点】従来よりコマ玩具は子供の遊びにおいて非常にポピュラーであり、友達どうしでおたがいのコマ玩具をぶつけあって、相手のコマ玩具を倒したり、決められたゲームスペース（ゲーム盤）から弾き出したりして勝負を争う遊びがよく行なわれている。
【０００３】
現在では、このようなコマ玩具は、発射装置によって回転駆動されている（例えば、特許文献１参照）とともに、いろいろな趣向が凝らされたものが多数実施されており、例えばコマ玩具を分解可能に構成し、パーツを交換して回転特性を変えて勝負に有利にチューンアップするものが提案されている。このように、従来のものはコマ玩具の回転を安定にするものや、回転を早くするものなど、回転を重視したものが多い。
【０００４】
【特許文献１】
実用新案登録第３０６６８５７号
【０００５】
【考案が解決しようとする課題】
しかしながら、パーツを交換することによって回転特性を変えるものとすると、パーツを購入しなければならないので、子どもにとっては負担である。また、たがいのコマ玩具をぶつけ合って勝負を競うという遊びにおいては、費用をかけた方が勝利するという子ども向けの玩具としては望ましくないという問題がある。
【０００６】
本考案は上記問題点を解消し、単独で少なくとも２種類の回転特性が得られるようにしたコマ玩具を提供することをその課題とする。
【０００７】
【課題を解決するための手段】
前記課題を解決するため、本考案に係るコマ玩具は、発射装置によって回転駆動できるとともに、以下の要件を備えたことを特徴とする。
（イ）玩具本体の内部にはジャイロホイールが回転自在に設けられ、ジャイロホイールの中心には回転軸が形成されていること
（ロ）玩具本体には、上記ジャイロホイールに係脱可能な係合手段が設けられていること
（ハ）上記玩具本体には、前記ジャイロホイールの回転軸と同軸上に設けられた歯車と噛合するラックベルトを横から挿通する貫通口が形成されていること
【０００８】
なお、前記玩具本体は、複数の部材を層状に組みたてて成り、各部材は各層の部材を交換可能に構成されているのが好ましい。
【０００９】
【考案の実施の形態】
図１及び図２はコマ玩具の上部から見た斜視図及び下部から見た斜視図である。このコマ玩具Ａは、最上層の上層部材１ａと、上層部材１ａの下部に配置された中層部材１ｂとからなる玩具本体１と、玩具本体１の下部に配置されたジャイロホイール３とを層状に取り付けて成るものである。
【００１０】
玩具本体１の上層部材１ａには、発射装置（図示せず）の回転体の下方に突出する１対の係合脚に係合可能な凹溝４が形成されている。発射装置は前掲の特許文献１に示されるようなもので、公知である。また、上層部材１ａの中心部には円形の穴５が形成されている。
【００１１】
次に、ジャイロホイール３は金属から成り、ホイール６と回転軸７とから構成されている。ホイール６は図２に示されるように、リング部８と中心部６ａとを放射状のスポーク９で連結した車輪状部材である。回転軸７においてホイール６よりも上部には、図３に示されるように、同軸上に歯車１０が設けられ、その上には回転軸７の回転を滑らかにするベアリング体１１が取りつけられている。また、回転軸７においてホイール６よりも下部には錘部材１２が設けられ、その下端には軸先部１３が形成されている。
【００１２】
また、玩具本体１の中層部材１ｂの内部にはジャイロホイール３のベアリング体１１を保持する凹部１４が形成されている。ジャイロホイール３を中層部材１ｂに取りつけるときは、中層部材１ｂは左右に分割可能にしておき、分割時にジャイロホイール３の回転軸７とベアリング対１とを凹部１４に係合させた後に閉じればよい。これにより、ジャイロホイール３は玩具本体１に回転自在に取りつけられる。
【００１３】
さらに、上記中層部材１ｂの側部には、図３及び図５に示されるように、ラックベルト１５が玩具本体１を挿通できるようにする貫通口１６が形成されている。なお、ラックベルト１５が上記貫通口１６から挿通したときには、ラックベルト１５の表面に形成されたラック１７が上記ジャイロホイール３の回転軸７と同軸に設けられた歯車１０に噛合するように構成されている。
【００１４】
次に、玩具本体１の中層部材１ｂには、図４に示されるように、ジャイロホイール３に係脱可能な係合手段として、切り替えレバー１８が、支軸１９を中心に回動可能に取り付けられている。切り替えレバー１８の上端は中層部材１ｂに形成された開口部２０から外部に突出している。また、切り替えレバー１８の内側には円弧部が形成され、円弧部には突部２１が形成されている。この突部２１に対応して、中層部材１ｂの内部には上記突部２１に係合可能な凹部２２が上下に各１個の計２個形成されている。これにより、切り替えレバー１８は開口部２０の外から２段階に回動操作可能になっている。そして、２段階の回動により、切り替えレバー１８の下端部１８ａは、上記ジャイロホイール３のホイール６の２つのスポーク９の間の空間２３に進入、退避可能になっている。すなわち、図３のように、切り替えレバー１８の突部２１が上部の凹部２２に係合しているとき（この位置を第１の位置という）は、切替レバー１８の下端部は、上記ホイール６から退避しているので、ジャイロホイール３は自由に回転することができる。これに対し、図４のように、切り替えレバー１８の上端部を上げて切り替えレバー１８を回動させ、その突部２１が下部の凹部２２に係合しているとき（この位置を第２の位置という）は、切替レバー１８の下端部１８ａは、上記ホイール６のスポーク９内の空間に進入してスポーク９に係合するので、ジャイロホイール３の回転は阻止され、回転することができない。
【００１５】
次に、上記構成のコマ玩具を使って遊ぶにあたり、コマ玩具全体を回転させる場合と、ジャイロホイール３のみを回転させる２種類の回転のうちいずれかを選択することができる。
【００１６】
コマ玩具全体を回転させるときは、まず切り替えレバー１８を外部から操作して第２の位置にセットし、ジャイロホイール３が回転できない状態にしておく。この状態で発射装置によってコマ玩具を回転駆動させると、玩具本体１が回転するとともに、ジャイロホイール３も回転する。これにより、通常のコマ遊びを行なうことができる。
【００１７】
次に、ジャイロホイール３のみを回転するときは、ラックベルト１５を図５のように玩具本体１の側部の貫通口１６から横方向に挿通し、ラックベルト１５の表面に形成されたラック１７をジャイロホイール３の回転軸７の歯車１０に噛合させる。そして、玩具本体１を一方の手に持ち、他方の手でラックベルト１５を十分に深く挿通した後に勢いよく引っ張ると、ジャイロホイール３が回転する。このとき玩具本体１は回転しない。この状態で、コマ玩具を逆さにした状態で上層部材１ａの中心部の円形穴５にボールペンのペン先などの、先端が尖った部材２４を係合させ、コマ玩具からゆっくりと手を離すと、ジャイロ効果によってコマ玩具は逆さの状態で安定する。したがって、曲ゴマとしての遊びを楽しむことができる。
【００１８】
なお、上記実施形態において玩具本体１は、上層部材１ａと中層部材１ｂとから構成されているが、さらに３個以上の部材から構成してもよく、しかもこれらの複数の部材を交換可能に構成するようにしてもよい。これによれば、部材の交換によりさらに複雑な回転特性が得られる。
【００１９】
【考案の作用、効果】
請求項１に係る考案によれば、ジャイロホイールに係合手段を係合させてジャイロホイールが自由回転できない状態にしておき、発射装置によって全体を回転させることにより通常のコマ遊びをすることができる。また、玩具本体の貫通口からラックベルトを挿通し、ラックベルトのラックをジャイロホイールの回転軸と同軸上に設けられた歯車と噛合させ、玩具本体を一方の手に持ち、他方の手でラックベルトを十分に深く挿通した後に勢いよく引っ張ると、玩具本体１は回転しないが、ジャイロホイールが回転する。このジャイロ効果を利用して曲ゴマとしての遊びを楽しむことができる。
【００２０】
このように、本考案によれば、単独で２種類の回転特性を得ることができる。
【００２１】
請求項２に係る考案によれば、係合各層の部材を交換することにより、さらに複雑な回転特性が得られる。
【図面の簡単な説明】
【図１】本考案に係るコマ玩具の上部から見た斜視図
【図２】上記コマ玩具を下部から見た斜視図
【図３】コマ玩具の要部の断面図
【図４】切り替えレバーを第２の位置に回動させた状態の断面図
【図５】曲ゴマ遊びの態様説明図
【符号の説明】
１　玩具本体
３　ジャイロホイール
１０歯車
１５　ラックベルト
【図１】
0003097704.tif 000003
【図２】
0003097704.tif 000004
【図３】
0003097704.tif 000005
【図４】
0003097704.tif 000006
【図５】
0003097704.tif 000007
【手続補正書】
【提出日】平成15年5月28日(2003.5.28)
【手続補正１】
【補正対象書類名】明細書
【補正対象項目名】実用新案登録請求の範囲
【補正方法】変更
【補正の内容】
【実用新案登録請求の範囲】
【請求項１】
発射装置によって回転駆動可能であるとともに、以下の要件を備えたことを特徴とするコマ玩具。
（イ）玩具本体の内部にはジャイロホイールが回転自在に設けられ、ジャイロホイールの中心には回転軸が形成されていること
（ロ）玩具本体には、上記ジャイロホイールに係脱可能な係合手段が設けられていること
（ハ）上記玩具本体には、前記ジャイロホイールの回転軸と同軸上に設けられた歯車と噛合するラックベルトを横から挿通する貫通口が形成されていること
【請求項２】
前記玩具本体は、複数の部材を層状に組みたてて成り、各部材は各層の部材を交換可能に構成されていること特徴とする請求項１記載のコマ玩具。